(57)【要約】【課題】  操作つまみを操作させても常に表示部を照光させることができて、かつ開口部が小さくて済むので、操作つまみを移動させても開口部は目立たず、また、特段の防塵構造も必要ない照光式スイッチ装置を提供する。【解決手段】  開口部１１を有するケーシング（上部ケース１）と、移動可能で、少なくとも一対の表示部８３を有する操作部８と、ケーシング（上部ケース１及び下部ケース２）内に配置される光源７とを備え、操作つまみは、ケーシングの開口部１１に挿通されケーシング内に位置する一端部を光源７に対向して配置される導光体からなる軸部（導光体６）と、軸部のケーシングの外に位置する端部から操作部８の表示部８３の下側に設けられ、且つ該表示部８３に光を反射する反射部８４を有する導光体からなるつまみ導光部（操作部８）と、軸部の端部の光をつまみ導光部に反射して導く第２反射部６２とを有する。【選択図】        図２
2006140101.tif 000002
【特許請求の範囲】
【請求項１】
開口部を有するケーシングと、
移動可能で、少なくとも一対の表示部を有する操作つまみと、
前記ケーシング内に配置される光源とを備え、
前記操作つまみは、前記ケーシングの前記開口部に挿通されケーシング内に位置する一端部を前記光源に対向して配置され導光体からなる軸部と、前記軸部のケーシングの外に位置する端部から前記操作つまみの表示部の下側に設けられ、且つ該表示部に光を反射する反射部を有するつまみ導光部と、前記軸部の端部の光をつまみ導光部に反射して導く第２反射部とを有することを特徴とする照光式スイッチ装置。
【請求項２】
請求項１において、前記光源を前記操作つまみに一体的に動作するように保持したことを特徴とする照光式スイッチ装置。
【請求項３】
請求項１において、前記操作つまみに遮光部を２色成型で形成したことを特徴とする照光式スイッチ装置。
【請求項４】
請求項３において、前記つまみ導光部の表面に遮光部を設け、該遮光部は、テーパー部と、該テーパー部に繋がって中央部から遠ざかる方向に延びる延長部を設けることを特徴とする照光式スイッチ装置。
【請求項５】
請求項１において、前記導光体の軸部と、前記つまみ導光部を別体で形成し、前記第２反射部を前記軸部に設けたことを特徴とする照光式スイッチ装置。
【発明の詳細な説明】
【技術分野】
【０００１】
本発明は、機器のオンオフや機能を切換えるためのスイッチ装置に関し、特に、内部に備えた光源により操作つまみの位置や切換え状態を表示する照光式スイッチ装置に関する。
【背景技術】
【０００２】
従来、機器のオンオフや機能を切換え、かつ内部に備えた光源により操作つまみの位置や切換え状態を表示する照光式スイッチ装置の一例として、自動車の車体に備えられる左右のミラーの角度等をモータの駆動力で運転席から遠隔操作するために用いられるミラースイッチ装置がある。
【０００３】
このミラースイッチ装置は、左あるいは右ミラーに切換える切換えスイッチと、切換えられたミラーの傾斜角度を上下左右方向に調整するため任意の方向に傾斜可能な１つのつまみを備えた角度調整用のスイッチとが１つの筐体内にまとめられている。
【０００４】
一方、このような車両に搭載されたスイッチ装置は、夕暮れや夜間等暗くなった時期において操作することがあり、暗い場所でもスイッチ装置の位置や現状等が判るように照明装置を組み込んだ照光式スイッチ装置が使用されている。特に上述したミラースイッチ装置のように２つのスイッチが近接して組み込まれているような場合には、切換えスイッチの現状位置、あるいは上下左右の操作位置等が暗くても容易に判別できるように照明することが望まれている。
【０００５】
従来の照光式スイッチ装置の一例としては、例えば、特許文献１があり、これを図７乃至図９に示す。
【０００６】
これらの図に示すミラースイッチ装置、特に、左右ミラーの切換えスイッチについて説明すると、下端が開放した上ケース２０１と、左右のミラー駆動用モータ（図示しない）の選択を行う操作つまみ２０２と、操作つまみ２０２に光を送るための導光体２０３と、複数の固定接点のパターン等が印刷された回路基板２０４と、上ケース２０１とともに、導光体２０３や回路基板２０４等を固定するカバーである下ケース２０５とから主に構成されている。
【０００７】
上ケース２０１には、その上面部にスライドスイッチ部の操作つまみ２０２の下部が挿入される開口部２０１ａと、開口部２０１ａの両側で操作つまみ２０２のスライド方向に形成された一対の遮蔽部２０１ｂと、上面部の各辺に形成された側面２０１ｃが設けられている。上ケース２０１の側面２０１ｃの一方の相対する両側面２０１ｃの下部には、それぞれ一対の係止凹部２０１ｄが所定の間隔をおいて穿設されている。
【０００８】
操作つまみ２０２は上ケース２０１の上面部の上に配設され、上ケース２０１の開口部２０１ａ内にその長手方向にスライド可能に嵌挿されている。この操作つまみ２０２には、その上面中央に操作時に指をかけるつまみ部２０２ａが形成され、このつまみ部２０２ａの両側でスライド方向には、方向を示す矢印や文字、記号を表示する透光性のある表示部２０２ｂが２成分モールド成形されている。また、操作つまみ２０２の中央下面には四角筒状の連結部が突設され、連結部の対向壁に係合凹部２０２ｃが形成されている。
【０００９】
上ケース２０１内には、操作つまみ２０２と一体化されているスライダ２０６がスライド可能に収納されている。これら操作つまみ２０２とスライダ２０６によってスライダが構成されている。このスライダ２０６は、透明な合成樹脂で作られており、その上面中央には連結部２０６ａが突設されている。このスライダ２０６の連結部２０６ａは上ケース２０１の開口部２０１ａに挿通されて操作つまみ２０２の連結部に嵌合され、スライダ２０６の連結部２０６ａの係合突起部２０６ｂが操作つまみ２０２の係合凹部２０２ｃと係合されて操作つまみ２０２とスライダ２０６はスナップ結合されている。操作つまみ２０２の表示部２０２ｂの下とスライダ２０６の間には隙間がそれぞれ設けられ、これらの隙間に上ケース２０１の遮蔽部２０１ｂが配設されている。これにより、上ケース２０１の上方から操作つまみ２０２を開口部２０１ａに沿って往復動させると、スライダ２０６も同方向に往復動する。スライダ２０６の移動方向長さは、一方向に移動させて連結部２０６ａが開口部２０１ａの一端部に当接した時には、連結部２０６ａの反対方向に位置する部分が開口部２０１ａの下に位置することができる長さになっている。また、図９に示すように、スライダ２０６の移動方向と直交する方向の側面にはつまみ部２０２ａのスライド移動方向の厚さ分に相当する長さの間隔をおいて２つの矩形の凹部２０６ｃが略水平に穿設されている。これら２つの凹部２０６ｃの奥部は底部から上面部に向かい傾斜させ、これら凹部２０６ｃの開口部が位置する側面と相対する側面から光を当てた時、その光を上方に反射させる傾斜状の反射面２０６ｄが形成されている。スライダ２０６の両端側の下面には可動接点収納凹部２０６ｅが間隔をおいて形成されており、これら可動接点収納凹部２０６ｅには板状の可動接点（図示せず）が収納されている。スライダ２０６は図示しないスプリング及びボールによってボールが上ケース２０１の側面２０１ｃに弾性的圧接して２つの切換え位置及び中立位置に操作つまみ２０２がクリック触感をもって保持されるように動作するようになっている。
【００１０】
図９に示すように、導光体２０３は、透光性を有する合成樹脂で作られ、上ケース２０１の支持台の中央部に位置する入射部２０３ａと、この入射部２０３ａの一側面から延在し、端面がスライダ２０６の凹部２０６ｃの開口部が位置する側面と相対する側面に近接して対向する導光部２０３ｂとを有している。入射部２０３ａの中央部は上下方向に貫通する開口２０３ｃが穿設されている。この開口２０３ｃに図示しない照明用ランプが挿入されている。この照明用ランプは下ケース２０５の回路基板２０４に設けた孔（図示省略）を貫通して形成される突出部（図示省略）に固設され、回路基板２０４の孔から突出している。
【００１１】
次に、このように構成されたミラースイッチ装置の操作つまみ２０２の照光状態を前記照明用ランプが点灯している場合について説明する。
【００１２】
上ケース２０１の上部に突出する操作つまみ２０２が、図７に示すように、中立位置にある場合には、スライダ２０６も中立位置にあり、連結部２０６ａも開口部２０１ａの略中央部に位置している。したがって、つまみ部２０２ａの両側に位置する表示部２０２ｂには照明用ランプ４７からの光が導光体２０３の入射部２０３ａから導光部２０３ｂを通り、導光部２０３ｂの端部からスライダ２０６の側面を照光する。そしてこの光はスライダ２０６の２つの反射面２０６ｄにより上方に反射され、開口部２０１ａから両表示部２０２ｂを照光することになる。このように中立位置では両表示部２０２ｂが明かるくなっていることにより、運転者はミラースイッチ装置の操作つまみ２０２が中立位置にあることを容易に理解することができる。
【００１３】
この中立位置から図８に示すように、操作つまみ２０２を右方向に移動させると、右側の可動接点収納凹部２０６ｅに収納されている可動接点が回路基板２０４の２つの固定接点の内、例えば右側の固定接点に接触し、右側のミラー駆動用のモータは駆動待機状態となる。この時の操作つまみ２０２及びスライダ２０６は、図８に示すように、右側の表示部２０２ｂの下方に右側の遮蔽部２０１ｂが差し込まれて光路を遮蔽する。したがって、操作つまみ２０２の右側の表示部２０２ｂは暗くなる。一方、左側の表示部２０２ｂは左側の遮蔽部２０１ｂから外れて開口部２０１ａの上方に位置するので、スライダ２０６の左側の反射面２０６ｄを反射した前記照明用ランプからの光は操作つまみ２０２の左側の表示部２０２ｂに到達し、この左側の表示部２０２ｂを照光する。なお、左側の表示部２０２ｂに右を示すＲ、右側の表示部に左を示すＬが形成されている。
【特許文献１】特開平９−２４５５６７号公報
【発明の開示】
【発明が解決しようとする課題】
【００１４】
このような従来の照光式スイッチ装置では、上ケース２０１の開口部２０１ａの下側に反射するスライダ２０６の反射面２０６ｄがあって、操作つまみ２０２の表示部２０２ｂに光を導く構成であるから、スライダ２０６を操作することにより、開口部２０１ａから光漏れが生ずる問題がある。また、スライダ２０６が、移動経路の両端に位置した際に、表示部２０２ｂは反射面２０６ｄと対向するよう開口部２０１ａを形成する必要があり、又、表示部２０２ｂを考慮して反射面２０６ｄの面積を設定する必要があり、例えば、表示部２０２ｂを大きくしようとする場合、それに伴って反射面２０６ｄ、開口部２０１ａを大きくする、ケース２０１ｂの長さ寸法を長くする等の変更が必要であり、コストアップとなってしまうという問題がある。又、例えば、開口部２０１ａは照光が不要であればスライダ２０６の移動を許容する大きさに形成しておけば問題はないが、本照明構造の場合は、少なくとも２つの表示部２０２ｂの形成された間隔程度にする必要があり、したがって、開口部２０１ａが照明構造の為に大きくなってしまう場合があり、そうなるとその開口部２０１ａを塞ぐための構成上の制約が大きくなってしまうという問題がある。
【００１５】
また、操作つまみ２０２の中立位置では両方の表示部２０２ｂを照光し、操作つまみ２０２を右か左に操作した末端位置では片側の表示部２０２ｂを照光する構成であるが、例えば、末端位置においても両方の表示部２０２ｂを同時に照光する場合、遮蔽部２０１ｂを削除することが考えられる。しかしながら、その場合には更に開口部２０１ａが大きくなってしまうし内部の一部は上方から見て遮れるものはなく表出した状態となり、また、スライダ２０６と対向する導光体２０３の側面（出光面）が外れてしまうため、十分な照度を確保できないという問題がありまた、操作つまみ２０２の位置によって表示部２０２ｂの照度が変わってしまい見栄えが悪いという問題もある。
【００１６】
本発明の目的は、操作つまみを操作させても常に表示部を照光させることができて、かつ開口部が小さくて済むので、操作つまみを移動させても開口部は目立たず、また、異物の進入の可能性が少ない照光式スイッチ装置を提供することにある。
【課題を解決するための手段】
【００１７】
上述の目的を達成するために、本発明の照光式スイッチ装置は、開口部を有するケーシングと、移動可能で、少なくとも一対の表示部を有する操作つまみと、前記ケーシング内に配置される光源とを備え、前記操作つまみは、前記ケーシングの前記開口部に挿通されケーシング内に位置する一端部を前記光源に対向して配置され導光体からなる軸部と、前記軸部のケーシングの外に位置する端部から前記操作つまみの表示部の下側に設けられ、且つ該表示部に光を反射する反射部を有するつまみ導光部と、前記軸部の端部の光をつまみ導光部に反射して導く第２反射部とを有する構成にしてある。
【００１８】
また、上述の発明の照光式スイッチ装置において、前記光源を前記操作つまみに一体的に動作するように保持した構成にしてある。
【００１９】
また、上述の発明の照光式スイッチ装置において、前記操作つまみに遮光部を２色成型で形成した構成にしてある。
【００２０】
また、上述の発明の照光式スイッチ装置において、前記つまみ導光部の表面に遮光部を設け、該遮光部は、テーパー部と、該テーパー部に繋がって中央部から遠ざかる方向に延びる延長部を設ける構成にしてある。
【００２１】
また、上述の発明の照光式スイッチ装置において、前記導光体の軸部と、前記つまみ導光部を別体で形成し、前記第２反射部を前記軸部に設けた構成にしてある。
【発明の効果】
【００２２】
本発明は、ケーシング内の光源から光は導光体の軸部を通って、ケーシング外に配置された第２反射部によって分光されて表示部に導くものであるので、従来のようにケーシング内で分光した後、開口部を通過して表示部に導くものでないため、ケーシングの開口部は導光体の軸部の移動範囲であれば良く、ケーシングの開口部を小さくできる。したがって、操作つまみを操作させても常に表示部を照光させることができて、かつ開口部が小さくて済むので、操作つまみを移動させても開口部は目立たず、また、異物の進入の可能性を少なくできる。また、表示部の大きさを簡単に変更することもできる。
【００２３】
本発明は、光源を操作つまみに一体的に動作するように保持したため、操作つまみを操作しても、軸部の一端部と光源の相対位置が変わらないので、一様な照光を行うことができる。
【００２４】
本発明は、操作つまみに遮光部を２色成型で形成したため、塗布で行う場合に比べて容易に製造できる。
【００２５】
本発明は、つまみ導光部の下面に遮光部を設け、該遮光部はテーパー部と、該テーパー部に繋がって中央部から遠ざかる方向に延びる延長部を設けるため、反射部で散乱した光や表示部から反射した光が操作つまみ外部に漏れるのを防止できる。
【００２６】
本発明は、導光体の軸部と、つまみ導光部を別体で形成し、第２反射部を導光体の軸部に設けたため、第２反射部を形成する軸部の部分を用いて、つまみ導光部に位置決めできるので構造上複雑とならない。
【発明を実施するための最良の形態】
【００２７】
以下、本発明の照光式スイッチ装置の一実施例を図面に基づいて説明する。
【００２８】
発明の実施の形態について図面を参照して説明すると、図１は本発明の実施例に係る照光式スイッチ装置を示す平面図、図２は図１の２−２線に沿った断面図、図３は図１の３−３線に沿った断面図、図４は図１に示す照光式スイッチ装置の切換スイッチの部分の分解斜視図、図５は操作つまみの末端の光漏れの説明図、図６は操作つまみの光蕗を示す断面図である。
【００２９】
図１〜図６において、１はケースのうちの上部ケース（ケーシングの一部に相当する）である。この上部ケース１は、例えば合成樹脂製等からなり、底が開口した中空状をなす。この上部ケース１の上部の上面のほぼ中央には正方形の透孔（図示せず）が設けられており、この透孔の内周面にはアクチュエータ（図示せず）を４方向にガイドするガイド部（図示せず）が設けられている。また、この上部ケース１の上部の一端側には長方形の開口部１１が設けられ、また、この上部ケース１の相対向する２側壁の下部には長方形の係合孔１２が設けられている。
【００３０】
２はケースのうちの下部ケース（ケーシングの一部に相当する）である。この下部ケース２は、例えば合成樹脂製からなり、前記上部ケース１の底部開口部より一回り小さく、また上面が凹んだ形状をなす。この下部ケース２の相対向する２側部には長方形の係合突起２１が前記上部ケース１の係合孔１２に対応して一体に突設されている。この下部ケース２は前記上部ケース１の底開口部に嵌入されていると共に、この下部ケース２の係合突起２１が上部ケース１の係合孔１２に係合して、上部ケース１と下部ケース２とが一体に組み付けられている。
【００３１】
この下部ケース２の上部には回路基板３が配設されている。この回路基板３は、例えばフェノール樹脂積層基板からなる。この回路基板３の上面には導電製の導体からなる後述する操作部８のＬとＲの表示部８３の位置に対応した信号を出力し、スライド方向に所定の間隔を隔てて配置される左右切り換えパターンと、後述する操作部８の移動する全域において後述するＬＥＤ点滅用可動接点である摺動子１００が摺動する給電パターンがプリント印刷で設けられている。この回路基板３は、前記下部ケース２に嵌め込まれて固定されている。
【００３２】
４は４方向用のスイッチの切替ノブである。この４方向用の切替ノブ４は、前記アクチュエータの軸部の上端に嵌合固定されている。この４方向用の切替ノブ４は、例えば光透過性の合成樹脂製（アクリル樹脂（ＰＭＭＡ：ポリメチルメタクリレート））からなり円形をなす。この４方向用の切替ノブ４の切替操作する４方向の４箇所には凹みからなるマーク４１がそれぞれ設けられ、そのマーク４１付近を押すと後述する操作部８によって選択された右もしくは左のミラーの傾き方向、角度を調整できる。そして、この４方向用の切替ノブ４の中央には、該ノブがミラーの角度調整用の操作部材であることを示す光透過性のマーク４２が４方向用の切替ノブ４の外面のうちマーク４２以外の部分に不透明な塗料を塗装して形成されている。そして、図示しないケースに固定した光源からの光によって上述のマーク４２が光るように構成されている。
【００３３】
５は２方向用のスイッチのスライダである。この２方向用のスライダ５は合成樹脂製（例えばアクリル樹脂）からなり、ほぼブロック形状をなす。この２方向用のスライダ５の上面のほぼ中央には四角筒状の保持部５１が上方に垂直に一体に突設されている。この保持部５１の上部の対向壁には、２方向用の操作部８の係合爪８ｂが係合される係合孔５２が形成されている。また、この保持部５１には導光体６を嵌め込んである。
【００３４】
また、２方向用のスライダ５の下面には基台９を挿入して保持する収納部５３が設けられている。この収納部５３は、保持部５１内の貫通孔に連通しており、基台９上に搭載された光源７の光が保持部５１内の導光体６を通って操作部８の表示部８２を照光するようになっている。また、２方向用のスライダ５はその収納部５３の両側部に係合孔を有する係合片５４がそれぞれ形成され、基台９の両端に突設された係合突起９ａに係合片５４が係合して基台９が収納部５３に固定される。
【００３５】
また、２方向用のスライダ５のスライド方向に沿った一側面には、切替機構としてのボール１１０及びスプリング１２０が収納される円形状の収納部５５が形成されている。
【００３６】
この２方向用のスライダ５は上部ケース１内であって、その上部ケース１と回路基板３の上面との間に直線方向にスライド可能に配置されている。この２方向用のスライダ５の保持部５１が上部ケース１の長方形の開口部１１中を挿通して上部ケース１の外側に突出している。
【００３７】
９は基台で、図４に示すようにその表面に光源（ＬＥＤ）７が載置され図示しない回路パターン部に接続固定されている。また、基台９の一端縁には、前記ＬＥＤ点滅用可動接点並びにＬＲ（左右）切換用可動接点である摺動子１００が一体に形成されて突出して基台９の下面に延設されている。これらの摺動子１００の下端が下方の回路基板３上のスイッチパターン上を２方向用のスライダ５のスライド動作とともに摺動される。
【００３８】
導光体６（操作つまみの一部である軸部に相当）は例えば耐熱性を有し、かつ無色透明の光透過性の合成樹脂、例えばポリカーボネートからなり、保持部５１内の貫通孔に合わせた直方体状の軸部で、その下面６１が断面半円形状に形成されて光源（照光部材）７に対向して入射部とされ、また、導光体６の上端はほぼＶ字状に凹んで一対の第２反射部６２とされている。導光体６の上端は操作部８の凹部８１に嵌合されており、光源７の光を導光体６の下端６１から第２反射部６２で反射して操作部８内に導くようになっている。６３は導光体６の軸部の側面下部に突設された位置決め突起で、位置決め突起６３は、スライダ５の保持部５１の挿入孔に嵌入された時、該挿入孔に形成された規制段部に突き当たる。
【００３９】
８は２方向用のスイッチの操作部（つまみ導光部）である。この２方向用の操作部８は、光透過性の合成樹脂、例えばポリカーボネートからなる。この２方向用の操作部８は、その下面中央に導光体６の上端部が嵌合される凹部８１と、この凹部８１の両縁から下方に突設され前記２方向用のスライダ５の保持部５１の上端の係合孔５２に係合される係合爪８２と、表面側に形成された光透過性のＬとＲの表示部８３とが設けられている。また、２方向用の操作部８のポリカーボネート部分の下面は傾斜面として反射面８４が設けられ、光源７からの光が導光体６の第２反射部６２で分岐されて２方向用の操作部８内に導かれ、反射面８４により上方に反射されてＬとＲの表示部８３を照光する。したがって、操作部８を操作しても、導光体６の軸部の下面６１と光源７の相対位置が変わらないので、ＬとＲの表示部８３の一様な照光を行うことができる。
【００４０】
前記図２及び図３では省略しているが、図５及び図６に示すように、操作部８の表面には、遮光部８５、８６等が形成されている。すなわち、このＬとＲの表示部８３は、２方向用の操作部８の上面に白色の塗料を塗布し、ＬとＲの形にマスクし、不透明な塗料を塗装してＬとＲ以外の部分に遮光部８５を形成する。また、２方向用の操作部８の下面は、図示しない金型に溶融したポリカーボネイトを充填した後、下面の金型を離型してわずかな隙間を形成し、その隙間に溶融した不透明な合成樹脂、例えば白色のＡＢＳ（アクリルニトリル−ブタジエン−ステレン）樹脂を充填して遮光部８６を二色成型により成形する。
【００４１】
１１０及び１２０は切替機構としてのボール及びスプリングである。このスプリング１２０は２方向用のスライダ５の一側面の収納部５５に圧縮された状態で収納され、一方ボール１１０は圧縮状態のスプリング１２０と上部ケース１の内面に設けた切替溝（図示せず）との間に設けられている。この切替溝は、中央のＶ字谷部（図示せず）と、そのＶ字谷部の両側の第１山部（図示せず）及び第２山部（図示せず）と、その第１山部及び第２山部から延設した第１傾斜面（図示せず）及び第２傾斜面（図示せず）とからなる。一方、前記ボール１１０は前記スプリング１２０により前記切替溝に押し付けられている。そして、この切替機構において、ボール１１０がＶ字谷部に位置するときには２方向用のスライダ５が中立位置に位置し、ボール１１０が第１傾斜面に位置するときには２方向用のスライダ５が第１位置（たとえば、Ｌ位置）に位置し、ボール１１０が第２傾斜面に位置するときには２方向用のスライダ５が第２位置（たとえば、Ｒ位置）に位置するものである。この切替機構は、２方向用の操作部８及び２方向用のスライダ５が中立位置及び第１位置及び第２位置に位置している状態を保持し、かつ２方向用の操作部８及び２方向用のスライダ５の切替の節度感を付与するものである。
【００４２】
この実施例における本発明の照光式スイッチ装置は、以上の如き構成からなり、以下その要部の組立てについて説明する。
【００４３】
図２〜４に示すように、摺動子１００並びに光源７を備えた基台９をスライダ５の収納部５３に挿入し係合片５４に係合突起９１を嵌め込み固定する。また、スライダ５の保持部５１に導光体６を位置決め突起６３が突き当たるまで差し込む。さらに、導光体６の上端に２方向用の操作部８を、その係合爪８２を導光体６と保持部５１の内壁との隙間に差し込み、係合爪８２を係合孔５２に係合してスライダ５に２方向用の操作部８を固定すると共に、導光体６の上端が２方向用の操作部８の凹部８１に嵌合され、第２反射部６２で反射された光が２方向用の操作部８の反射面８４に導かれる。
【００４４】
次に、その操作について説明する。
【００４５】
まず、２方向用のスイッチの操作において、図２に示す中立位置に位置する２方向用の操作部８を左側又は右側に移動させると、その２方向用の操作部８の移動操作力が２方向用のスライダ５に伝達され、その２方向用のスライダ５も上部ケース１と回路基板３との間において同方向にスライドし、その２方向用のスライダ５が第１位置又は第２位置に位置し、それに伴ってＶ字谷部に位置するボール１１０がスプリング１２０のばね力に抗して一旦下がりながら第１山部又は第２山部を乗り越して第１傾斜面又は第２傾斜面に位置する。このボール１１０の山部を乗り越え谷部に落ち込む際に節度感が得られる。上述の２方向用のスライダ５のスライドに伴って、ＬＥＤ点灯用可動接点並びにＬＲ切換用可動接点を有する摺動子１００も回路基板３上を同方向にスライドして、ＬＲ切換用可動接点である摺動子１００が接する左右切換えパターン切換わり第１回路又は第２回路に切り替わる。
【００４６】
次に、第１位置又は第２位置に位置する２方向用の操作部８を中立位置に移動させると、２方向用のスライダ５が第１位置又は第２位置から中立位置にスライドし、それに伴ってボール１１０が第１傾斜面又は第２傾斜面から第１山部又は第２山部を乗り越えてＶ字谷部に位置し、一方、２方向用のＬＥＤ点滅用可動接点並びにＬＲ切換用可動接点である摺動子１００も同方向にスライドし、第１回路又は第２回路に切り替えられているＬＲ切換用可動接点である摺動子１００がどちらの切換えパターンにも接していない中立状態に切り替わる。なお、ＬＥＤ点滅用可動接点である摺動子１００は上記スライド動作によって回路基板３の給電パターンに常時接するようにしてその上を摺動しており、常に給電パターンからＬＥＤ点灯用可動接点である摺動子１００の接点部を経て、基台９の回路パターンを通って光源７に給電しているので常にＬとＲのマーク８１は照光されている。
【００４７】
上述のように、例えば、２方向用の操作部８が左（Ｌ）側に切り替えられていて２方向用のスイッチが第１回路を構成している状態で、４方向用の切替ノブ４を上側に傾倒させて第１回路を構成すると、左側のミラー面が上側に傾倒し、また４方向用の切替ノブ４を下側に傾倒させて第２回路を構成すると、左側のミラー面が下側に傾倒し、さらに４方向用の切替ノブ４を左側に傾倒させて第３回路を構成すると、左側のミラー面が左側に傾倒し、さらにまた４方向用の切替ノブ４を右側に傾倒させて第４回路を構成すると、左側のミラー面が右側に傾倒する。次に、２方向用の操作部８が右（Ｒ）側に切り替えられていて２方向用のスイッチが第２回路を構成している状態で、４方向用の切替ノブ４を上側に傾倒させて第１回路を構成すると、右側のミラー面が上側に傾倒し、また４方向用の切替ノブ４を下側に傾倒させて第２回路を構成すると、右側のミラー面が下側に傾倒し、さらに４方向用の切替ノブ４を左側に傾倒させて第３回路を構成すると、右側のミラー面が左側に傾倒し、さらにまた４方向用の切替ノブ４を右側に傾倒させて第４回路を構成すると、右側のミラー面が右側に傾倒する。
【００４８】
また、２方向用の操作部８が中立位置に切替えられている状態においては、４方向用の切替ノブ４をいずれの方向に傾倒してもミラーは動かず誤って操作されてしまうのを防ぐことができる。
【００４９】
そして、本発明の照光式スイッチ装置は、２方向用のスライダ５に内蔵された光源７に、２方向用のスライダ５をスライドさせると、回路基板３上を摺動するＬＥＤ点灯用可動接点である摺動子１００により給電して点灯すると、２方向用のスライダ５をどの位置にスライドさせていても光源７を発光させることができる。そして、光源７の光は、光源７に対向した導光体６の下面６１から入射して導光体６（軸部）内を経て開口部１１より操作部８が位置する外側に導かれて上端の第２反射部６２で左右に反射し分岐され操作部８内に導かれる。操作部８内に導かれた光は反射面８４で上方に反射されて２方向用の操作部８の表示部８３を照光する。この結果、２方向用の操作部８の表示部８３が常時一様に安定して光るので、切替操作する箇所が誤るような虞が無い。
【００５０】
上述したように、操作部８内に導かれた光は、反射面８４で上方に反射されて表示部８３を照光するが、反射面８４で上方に反射された光のうち幾らかは上面で反射されて操作部８の末端部（延長部）Ａに到達する。
【００５１】
ところで、図５の（ａ）に示すように、操作部８の下面の反射面８４から末端部Ａに至る部分が直角状に形成されていると、２色成型における境界が外観側を向くこととなり、該境界は段差が現れやすく又異なる工程で形成されるため、１つの工程で形成するのに比べて物性が異なる可能性があり、境界の表面に塗装を行っても初期状態あるいは環境変化によってその境界の痕跡が表面に現れやすいという問題がある。この為、遮光部８６を薄肉に形成してその影響を低減することが考えられるが、溶融した樹脂が十分に充填されない、いわゆる樹脂のショートの問題  が生じてしまい、確実に遮光部８６が形成されないという問題がある。
【００５２】
そこで、本実施例では、図５の（ｂ）に示すように、操作部８のポリカーボネート部分の反射面８４から末端部Ａに至る部分にテーパー部８７を形成し、遮光部８７は末端部Ａに行くに従って徐々に薄肉となって鋭角を成すようにして形成される。
【００５３】
これによって、境界部分は外観側を向いておらず、よって外観上問題となることはなく、また遮光部８５と８６の僅かな隙間ができるものの非常に小さくすることができるため、光の漏れは問題とならない。
【００５４】
なお、本実施例では軸部の先端に第２反射部６２を形成し、その間の操作部８は凹部８１によって空間が形成されているが、第２反射部と嵌め合う形状としても良い。但しその場合には完全に面が合っていないと所定の経路で光が反射されない為、確実に合致させる必要がある。
【００５５】
また、本発明は導光体６と操作部８のポリカーボネート部分は別体としているが一体としても良い。この場合、実施例のように第２反射部を形成するため、その挟まれた部分に空間を形成する必要がある。なお、形状的に該空間を形成するのが難しい場合には、第２反射部の形状が形成されるように１回目の成型を行い２回目の成型でその部分に樹脂が完全に覆われるようにして軸部６を形成するいわゆる２色成型によって形成すれば良い。
【００５６】
また、前記実施例では、操作部８を２方向にスライドせさるタイプで説明したが、本発明はこれに限られるものでなく、四（十字）方向にスライドするタイプ、あるいは全方向にスライドするタイプであっても適用できる。
【００５７】
このように構成された前記実施例にあっては、開口部１１を有するケーシング（上部ケース１）と、移動可能で、少なくとも一対の表示部８３を有する操作部８と、ケーシング（上部ケース１及び下部ケース２）内に配置される光源７とを備え、操作つまみは、ケーシングの開口部１１に挿通されケーシング内に位置する一端部を光源７に対向して配置される導光体からなる軸部（導光体６）と、軸部のケーシングの外に位置する端部から操作部８の表示部８３の下側に設けられ、且つ該表示部８３に光を反射する反射部８４を有する導光体からなるつまみ導光部（操作部８）と、軸部の端部の光をつまみ導光部に反射して導く第２反射部６２とを有するため、従来のようにケーシング内で分光した後、開口部を通過して表示部に導くものでないため、ケーシングの開口部１１は導光体６の軸部の移動範囲に形成してあれば良く、ケーシングの開口部１１を小さくできる。したがって、操作部８を操作させても常に表示部１１を照光させることができて、かつ開口部１１が小さくて済むので、操作部８を移動させても開口部１１は目立たず、また、異物の進入の可能性を少なくできる。また、表示部の大きさを簡単に変更することもできる。
【００５８】
また、前記実施例にあっては、光源７を操作部８に一体的に動作するように保持したため、操作部８を操作しても、導光体６の軸部の下面と光源７の相対位置が変わらないので、一様な照光を行うことができる。
【００５９】
また、前記実施例にあっては、操作部８に遮光部８６を２色成型で形成した。塗布作業の場合、作業自体が２色成型に比べて面倒であるが、この意味で容易に製造できる。
【００６０】
また、前記実施例にあっては、操作部８（つまみ導光部）の下面に遮光部８６を設け、該遮光部８６はテーパー部８７と、該テーパー部８７に繋がって中央部から遠ざかる方向に延びる延長部（Ａ）を設けるため、反射部８４で散乱した光や表示部８３から反射した光が操作つまみの外部に漏れるのを防止できる。
【００６１】
また、前記実施例にあっては、導光体６の軸部と、操作部８（つまみ導光部）を別体で形成し、第２反射部６２を導光体６の軸部に設けたため、第２反射部６２を形成する軸部の部分を用いて、操作部８（つまみ導光部）の凹部８１にて位置決めできるので構造上複雑とならない。
【図面の簡単な説明】
【００６２】
【図１】本発明の実施例に係る照光式スイッチ装置を示す平面図である。
【図２】図１の２−２線に沿った断面図である。
【図３】図１の３−３線に沿った断面図である。
【図４】図１に示す照光式スイッチ装置の分解斜視図である。
【図５】操作つまみの末端部の光漏れの説明図である。
【図６】操作つまみの遮光部及び表示部の詳細を示す断面図である。
【図７】従来の照光式スイッチ装置の操作つまみが中立位置にある場合を示す縦断面図である。
【図８】図６の位置から操作つまみが一方向に切換えられた状態を示す縦断面図である。
【図９】導光体とスライダを詳細に示す斜視図である。
【符号の説明】
【００６３】
１  上部ケース（ケーシング）
２  下部ケース（ケーシング）
６  導光体（軸部）
７  光源
８  操作部（つまみ導光部）
１１  開口部
６２  第２反射部
８３  表示部
８４  反射部
８６  遮光部
８７  テーパー部
【図１】
2006140101.tif 000003
【図２】
2006140101.tif 000004
【図３】
2006140101.tif 000005
【図４】
2006140101.tif 000006
【図５】
2006140101.tif 000007
【図６】
2006140101.tif 000008
【図７】
2006140101.tif 000009
【図８】
2006140101.tif 000010
【図９】
2006140101.tif 000011